(57)【要約】【課題】インバータ回路より加熱コイルに高周波電流を供給して鍋を誘導加熱する炊飯器において、炊飯器本体に組み込み後の電力検査にて所定の電力が出ていない場合でも、炊飯器本体に組み込んだ状態で容易に再度電力調整ができるようにする。【解決手段】加熱コイル１０に高周波電流を供給するインバータ回路１１をインバータ制御回路１２により制御し、電源電圧検知手段１３と電源電流検知手段１４の検知レベルを電源電圧電流調整手段１５により各々調整し、インバータ制御回路１２を制御手段１９により制御する。制御手段１９は、電源電圧と電源電流の値を電源電圧電流表示手段１６に出力して表示するよう制御し、電源電圧電流調整手段１５で調整が完了したとき、電源電圧と電源電流の各々の調整値を不揮発性記憶手段１８に記憶し、不揮発性記憶手段１８に記憶した調整値を呼び出してインバータ制御回路１２を制御するよう構成する。【選択図】図１
2005130991.tif 000002
【特許請求の範囲】
【請求項１】
米、水などの調理物を入れる鍋を誘導加熱する加熱コイルと、この加熱コイルに高周波電流を供給するインバータ回路と、このインバータ回路を制御するインバータ制御回路と、入力される商用電源の電源電圧を検知する電源電圧検知手段と、前記商用電源から供給される電源電流を検知する電源電流検知手段と、前記電源電圧検知手段と前記電源電流検知手段の検知レベルを各々調整する電源電圧電流調整手段と、前記インバータ制御回路を制御する制御手段とを備え、前記制御手段は、前記電源電圧検知手段と前記電源電流検知手段の出力を入力し電源電圧と電源電流の値を電源電圧電流表示手段に出力して表示するよう制御し、前記電源電圧電流調整手段で調整が完了したことを出力する調整完了信号出力手段の信号を入力したときに、電源電圧と電源電流の各々の調整値を不揮発性記憶手段に記憶し、この不揮発性記憶手段に記憶した調整値を呼び出して前記インバータ制御回路を制御するよう構成した炊飯器。
【請求項２】
制御手段は、不揮発性記憶手段に記憶した調整値を呼び出して、この値が正常な範囲であればその調整値を使用してインバータ制御回路を制御し、異常の場合はあらかじめ決められた値を使用してインバータ制御回路を制御するようにした請求項１記載の炊飯器。
【請求項３】
米、水などの調理物を入れる鍋を誘導加熱する加熱コイルと、この加熱コイルに高周波電流を供給するインバータ回路と、このインバータ回路を制御するインバータ制御回路と、入力される商用電源の電源電圧を検知する電源電圧検知手段と、前記商用電源から供給される電源電流を検知する電源電流検知手段と、前記電源電圧検知手段と前記電源電流検知手段の検知レベルを各々調整する電源電圧電流調整手段と、前記インバータ制御回路を制御する制御手段とを備え、前記制御手段は、前記電源電圧検知手段と前記電源電流検知手段の出力を入力し電源電圧と電源電流の値を電源電圧電流表示手段に出力して表示するよう制御し、前記電源電圧電流調整手段で調整が完了したことを出力する調整完了信号出力手段の信号を入力したときに、電源電圧と電源電流の各々の調整値をバックアップ付き記憶手段に記憶し、このバックアップ付き記憶手段に記憶した調整値を呼び出して前記インバータ制御回路を制御するよう構成した炊飯器。
【請求項４】
制御手段は、バックアップ付き記憶手段に記憶した調整値を呼び出して、この値が正常な範囲であればその調整値を使用してインバータ制御回路を制御し、異常の場合はあらかじめ決められた値を使用してインバータ制御回路を制御するようにした請求項３記載の炊飯器。
【発明の詳細な説明】
【技術分野】
【０００１】
本発明は、インバータ回路より加熱コイルに高周波電流を供給して鍋を誘導加熱する炊飯器に関するものである。
【背景技術】
【０００２】
従来、この種の炊飯器は、入力される電力を調整するとき、電源電圧および電源電流を検知し、加熱コイルや鍋を接続することなく電流検知回路に交流定電流出力手段を接続することで、容易に調整ができるようにしていた（例えば、特許文献１参照）。
【０００３】
図９は、上記特許文献１に記載された従来の炊飯器のブロック図である。
【０００４】
図９に示すように、インバータ回路１７は、加熱コイル１８に高周波電流を供給し、米、水などの調理物を入れる内鍋１９を誘導過熱する。誘導加熱制御回路２１はインバータ回路１７を制御するものである。電流検知回路２３は商用電源１５から供給される電源電流を検知するもので、電圧検知回路２７は、入力される商用電源１５の電源電圧を検知するものであり、それぞれの出力をマイクロコンピュータ２５に入力し、マイクロコンピュータ２５により誘導加熱制御回路２１を制御するよう構成している。
【０００５】
上記構成において、入力される電力を調整するときは、加熱コイル１８および内鍋１９を接続せずに電流検知回路２３に交流定電流出力手段（図示せず）を接続し、半固定抵抗器２６で電力を調整する。
【特許文献１】特開平１１−５６６０２号公報
【発明の開示】
【発明が解決しようとする課題】
【０００６】
しかしながら、上記従来の炊飯器では、入力される電力を調整するとき、加熱コイル１８および内鍋１９を接続せずに、電流検知回路２３に交流定電流出力手段を接続し半固定抵抗器２６で電力を調整しているので、電流検知回路２３の電流トランス２２の電流検知精度を含めた調整になっていない。そのため、電流トランス２２の電流検知精度が悪い場合は、所定の電力が出力されない場合があった。
【０００７】
また、電力の検査測定は、図９の制御回路ブロック図のすべてを炊飯器本体に組み込んだ後に行うため、再度電力調整をしようとする場合には、炊飯器本体を分解しなければならないという問題があった。
【０００８】
本発明は上記従来の課題を解決するもので、炊飯器本体に組み込み後の電力検査にて所定の電力が出ていない場合でも、炊飯器本体に組み込んだ状態で容易に再度電力調整ができるようにすることを目的としている。
【課題を解決するための手段】
【０００９】
本発明は上記目的を達成するために、米、水などの調理物を入れる鍋を誘導加熱する加熱コイルにインバータ回路より高周波電流を供給し、このインバータ回路をインバータ制御回路により制御し、入力される商用電源の電源電圧を電源電圧検知手段により検知するとともに、商用電源から供給される電源電流を電源電流検知手段により検知し、電源電圧検知手段と電源電流検知手段の検知レベルを電源電圧電流調整手段により各々調整し、インバータ制御回路を制御手段により制御するよう構成し、制御手段は、電源電圧検知手段と電源電流検知手段の出力を入力し電源電圧と電源電流の値を電源電圧電流表示手段に出力して表示するよう制御し、電源電圧電流調整手段で調整が完了したことを出力する調整完了信号出力手段の信号を入力したときに、電源電圧と電源電流の各々の調整値を不揮発性記憶手段に記憶し、この不揮発性記憶手段に記憶した調整値を呼び出してインバータ制御回路を制御するよう構成したものである。
【００１０】
これにより、電力調整モードにて電源電圧、電源電流の値を炊飯器本体に組み込み状態で調整し、調整した調整値を不揮発性記憶手段に記憶し、通常調理モードにおいて電力調整モードで記憶した調整値でインバータ制御回路を制御することができ、万一、炊飯器本体に組み込み後の電力検査にて所定の電力が出ていない場合でも、炊飯器本体に組み込んだ状態で容易に再度電力調整をすることができる。
【発明の効果】
【００１１】
本発明の炊飯器は、万一、炊飯器本体に組み込み後の電力検査にて所定の電力が出ていない場合でも、炊飯器本体に組み込んだ状態で容易に安全に再度電力調整をすることができる。
【発明を実施するための最良の形態】
【００１２】
第１の発明は、米、水などの調理物を入れる鍋を誘導加熱する加熱コイルと、この加熱コイルに高周波電流を供給するインバータ回路と、このインバータ回路を制御するインバータ制御回路と、入力される商用電源の電源電圧を検知する電源電圧検知手段と、前記商用電源から供給される電源電流を検知する電源電流検知手段と、前記電源電圧検知手段と前記電源電流検知手段の検知レベルを各々調整する電源電圧電流調整手段と、前記インバータ制御回路を制御する制御手段とを備え、前記制御手段は、前記電源電圧検知手段と前記電源電流検知手段の出力を入力し電源電圧と電源電流の値を電源電圧電流表示手段に出力して表示するよう制御し、前記電源電圧電流調整手段で調整が完了したことを出力する調整完了信号出力手段の信号を入力したときに、電源電圧と電源電流の各々の調整値を不揮発性記憶手段に記憶し、この不揮発性記憶手段に記憶した調整値を呼び出して前記インバータ制御回路を制御するよう構成したものであり、電力調整モードにて電源電圧、電源電流の値を炊飯器本体に組み込み状態で調整し、調整した調整値を不揮発性記憶手段に記憶し、通常調理モードにおいて電力調整モードで記憶した調整値でインバータ制御回路を制御することができる。ここで、電源電圧および電源電流が正常に調整できればその積である電力も自由に制御できることになる。また、万一、炊飯器本体に組み込み後の電力検査にて所定の電力が出ていない場合でも、炊飯器本体に組み込んだ状態で容易に再度電力調整をすることができる。
【００１３】
第２の発明は、上記第１の発明において、制御手段は、不揮発性記憶手段に記憶した調整値を呼び出して、この値が正常な範囲であればその調整値を使用してインバータ制御回路を制御し、異常の場合はあらかじめ決められた値を使用してインバータ制御回路を制御するようにしたものであり、万一、炊飯器本体に組み込み後の電力検査にて所定の電力が出ていない場合でも、炊飯器本体に組み込んだ状態で容易に再度電力調整ができ、かつ記憶している調整値が消えても安全に使用できる。
【００１４】
第３の発明は、米、水などの調理物を入れる鍋を誘導加熱する加熱コイルと、この加熱コイルに高周波電流を供給するインバータ回路と、このインバータ回路を制御するインバータ制御回路と、入力される商用電源の電源電圧を検知する電源電圧検知手段と、前記商用電源から供給される電源電流を検知する電源電流検知手段と、前記電源電圧検知手段と前記電源電流検知手段の検知レベルを各々調整する電源電圧電流調整手段と、前記インバータ制御回路を制御する制御手段とを備え、前記制御手段は、前記電源電圧検知手段と前記電源電流検知手段の出力を入力し電源電圧と電源電流の値を電源電圧電流表示手段に出力して表示するよう制御し、前記電源電圧電流調整手段で調整が完了したことを出力する調整完了信号出力手段の信号を入力したときに、電源電圧と電源電流の各々の調整値をバックアップ付き記憶手段に記憶し、このバックアップ付き記憶手段に記憶した調整値を呼び出して前記インバータ制御回路を制御するよう構成したものであり、電力調整モードにて電源電圧、電源電流の値を炊飯器本体に組み込み状態で調整し、調整した調整値をバックアップ付き記憶手段に記憶し、通常調理モードにおいて電力調整モードで記憶した調整値でインバータ制御回路を制御することができる。ここで、電源電圧および電源電流が正常に調整できればその積である電力も自由に制御できることになる。また、万一、炊飯器本体に組み込み後の電力検査にて所定の電力が出ていない場合でも、炊飯器本体に組み込んだ状態で容易に再度電力調整することができる。また、バックアップ付き記憶手段を使用するので安価にできる。
【００１５】
第４の発明は、上記第３の発明において、制御手段は、バックアップ付き記憶手段に記憶した調整値を呼び出して、この値が正常な範囲であればその調整値を使用してインバータ制御回路を制御し、異常の場合はあらかじめ決められた値を使用してインバータ制御回路を制御するようにしたものであり、万一、炊飯器本体に組み込み後の電力検査にて所定の電力が出ていない場合でも、炊飯器本体に組み込んだ状態で容易に再度電力調整ができ、かつ記憶している調整値が消えても安全に使用できる。
【００１６】
以下、本発明の実施の形態について、図面を参照しながら説明する。なお、この実施の形態によって本発明が限定されるものではない。
【００１７】
（実施の形態１）
図１は、本発明の実施の形態１における炊飯器のブロック図を示すものであり、図２は、本発明の実施の形態１における炊飯器の動作を示すフローチャートを示すものである。
【００１８】
図１に示すように、加熱コイル１０は、米、水などの調理物を入れる鍋（図示せず）を誘導加熱するもので、インバータ回路１１より加熱コイル１０に高周波電流を供給する。インバータ回路１１はインバータ制御回路１２により制御するようにしている。電源電圧検知手段１３は入力される商用電源の電源電圧を検知するもので、電源電流検知手段１４は商用電源から供給される電源電流を検知するものであり、これら電源電圧検知手段１３、電源電流検知手段１４の検知レベルを電源電圧電流調整手段１５により各々調整するようにしている。
【００１９】
制御手段１９は、電源電圧検知手段１３と電源電流検知手段１４の出力を入力し、電源電圧と電源電流の値を電源電圧電流表示手段１６に信号を出力して表示するよう制御し、電源電圧電流調整手段１５で調整が完了したことを出力する調整完了信号出力手段１７の信号を入力したときに、電源電圧と電源電流の各々の調整値を不揮発性記憶手段１８に記憶し、不揮発性記憶手段１８に記憶した調整値を呼び出してインバータ制御回路１２を制御するように構成している。
【００２０】
上記構成において図２のフローチャートを参照しながら動作、作用を説明する。ここで、炊飯器を組み立てた状態で電力検査に合格したものは出荷され、不合格になったものについて以下の作業を行う。
【００２１】
ステップ２０でスタートし、まずステップ２１に進み、電力調整モードかどうかを判断する。電力調整モードに入れるのに特定の入力信号が制御手段１９に入力されれば電力調整モードとしてステップ２２に進む。ステップ２２では電源電圧検知手段１３により入力される商用電源の電源電圧を検知する。つぎに、ステップ２３に進み、制御手段１９は電源電圧検知手段１３の出力信号を入力し、入力した電圧レベルを設計標準で計算して換算した電圧値を電源電圧電流表示手段１６により表示する。
【００２２】
つぎに、ステップ２４に進み、作業者は電源電圧電流表示手段１６で表示されている電圧値が、実際に入力している電圧値と同じかどうかを判断する。同じでない場合はステップ２５に進む。ステップ２５では作業者は電源電圧電流表示手段１６の表示が実際に入力している電圧値となるように電源電圧電流調整手段１５にて制御手段１９で判定する電圧レベルを変えていく。
【００２３】
具体的には、実際入力されている電源電圧が１００Ｖの場合で、電源電圧電流表示手段１６が１００Ｖを超える高い値を表示しているときは、作業者は制御手段１９が判定する電圧レベルを高く設定するよう入力信号を与え、逆に、電源電圧電流表示手段１６が１００Ｖを下回る低い値を表示しているときは、作業者は制御手段１９が判定する電圧レベルを低く設定するよう入力信号を与えて実際入力されている１００Ｖの表示になるように調整する。
【００２４】
実際に入力されている電圧に調整されるとステップ２６に進む。ステップ２６では作業者が調整完了信号出力手段１７で制御手段１９に信号を与える。キー入力による信号など、ようは調整完了を制御手段１９に入力できればよい。調整完了信号出力手段１７の信号が入力されたときの電源電圧調整レベルを制御手段１９は不揮発性記憶手段１８に記憶する。ここで、不揮発性記憶手段１８の利点はバックアップ電源がない場合、コンセントが抜かれて停電になったとしても記憶は消えないことである。
【００２５】
つぎに、ステップ２７に進む。ステップ２７では電源電流検知手段１４により商用電源から供給される電源電流を検知する。つぎに、ステップ２８に進み、制御手段１９は電源電流検知手段１４の出力信号を入力し、入力した電流レベルを設計標準で計算して換算した電流値を電源電圧電流表示手段１６により表示する。
【００２６】
つぎに、ステップ２９に進む。ステップ２９では作業者は電源電圧電流表示手段１６で表示されている電流値が、実際に入力している電流値と同じかどうかを判断する。同じでない場合はステップ３０に進み、作業者は電源電圧電流表示手段１６の表示が実際に入力している電流値となるように電源電圧電流調整手段１５にて制御手段１９で判定する電流レベルを変えていく。
【００２７】
具体的には、実際入力されている電源電流が１２Ａの場合で、電源電圧電流表示手段１６が１２Ａを超える高い値を表示しているときは、作業者は制御手段１９が判定する電流レベルを高く設定するよう入力信号を与え、逆に、電源電圧電流表示手段１６が１２Ａを下回る低い値を表示しているときは、作業者は制御手段１９が判定する電流レベルを低く設定するよう入力信号を与えて実際入力されている１２Ａの表示になるように調整する。
【００２８】
実際に入力されている電流に調整されるとステップ３１に進む。ステップ３１では作業者が調整完了信号出力手段１７で制御手段１９に信号を与える。キー入力による信号など、ようは調整完了を制御手段１９に入力できればよい。調整完了信号出力手段１７の信号が入力されときの電源電流調整レベルを制御手段１９は不揮発性記憶手段１８に記憶する。ここで、不揮発性記憶手段１８の利点はバックアップ電源がない場合、コンセントが抜かれて停電になったとしても記憶は消えないことである。ここでステップ２１に戻る。
【００２９】
ステップ２１でモードが電力調整モードでない場合はステップ３２に進む。ステップ３２では制御手段１９は通常の調理モードの動作を行う。つぎに、ステップ３３に進み、制御手段１９は不揮発性記憶手段１８からステップ２６および３１で記憶した電源電圧調整レベルと電源電流調整レベルを呼び出す。つぎに、ステップ３４に進み、ステップ３３で呼び出した調整値に基づいてインバータ制御回路１２を制御する。これによって、所定の電力にて炊飯、保温が可能になる。
【００３０】
以上の説明では、炊飯器を組み立てた状態で電力検査に合格したものは出荷され、不合格になったものについて調整作業を行うように説明したが、最初からこの調整作業によって電力調整して出荷してもよいことはいうまでもない。
【００３１】
以上のように、本実施の形態においては、電力調整モードにて電源電圧、電源電流の値を炊飯器本体に組み込み状態で調整し、調整した調整値を不揮発性記憶手段１８に記憶し、通常調理モードにおいて電力調整モードで記憶した調整値でインバータ制御回路１２を制御することで、万一、炊飯器本体に組み込み後の電力検査にて所定の電力が出ていない場合でも、炊飯器本体に組み込んだ状態で容易に再度電力調整をすることができる。
【００３２】
（実施の形態２）
図３は、本発明の実施の形態２における炊飯器のブロック図を示すものであり、図４は、本発明の実施の形態２における炊飯器の動作を示すフローチャートを示すものである。
【００３３】
図３に示すように、加熱コイル４０は、米、水などの調理物を入れる鍋（図示せず）を誘導加熱するもので、インバータ回路４１より加熱コイル４０に高周波電流を供給する。インバータ回路４１はインバータ制御回路４２により制御するようにしている。電源電圧検知手段４３は入力される商用電源の電源電圧を検知するもので、電源電流検知手段４４は商用電源から供給される電源電流を検知するものであり、これら電源電圧検知手段４３、電源電流検知手段４４の検知レベルを電源電圧電流調整手段４５により各々調整するようにしている。
【００３４】
制御手段４９は、電源電圧検知手段４３と電源電流検知手段４４の出力を入力し、電源電圧と電源電流の値を電源電圧電流表示手段４６に信号を出力して表示するよう制御し、電源電圧電流調整手段４５で調整が完了したことを出力する調整完了信号出力手段４７の信号を入力したときに、電源電圧と電源電流の各々の調整値を不揮発性記憶手段４８に記憶する。さらに、制御手段４９は不揮発性記憶手段４８に記憶した調整値を呼びだして、この値が正常な範囲であればその調整値を使用してインバータ制御回路４２を制御し、異常の場合はあらかじめ決められた値を使用してインバータ制御回路４２を制御するように構成している。
【００３５】
上記構成において図４のフローチャートを参照しながら動作、作用を説明する。なお、図２に示す上記実施の形態１のフローチャートにおけるステップ２０からステップ３１までの動作は同じ動作をするので説明を省略する。
【００３６】
ステップ５０からスタートしてステップ５１に進み、ステップ５１では電力調整モードではなく、通常の調理モードであることを判定する。つぎに、ステップ５２に進み、制御手段４９は不揮発性記憶手段４８に記憶されている電源電圧調整レベルと電源電流調整レベルを呼び出す。つぎに、ステップ５３に進み、制御手段４９はその電源電圧調整レベルが設計上許容される値に入っているかを判定する。
【００３７】
何らかの原因で不揮発性記憶手段４８の記憶データが破壊されていたり、消えていたりする場合があり、電源電圧調整レベルが設計上許容される値から大きく違っている場合はステップ５４に進む。ステップ５４では電源電圧調整レベルをあらかじめ決められている設計中心値であるデフォルト値に修正する。ここで、デフォルト値を設計中心値にしたが、安全等を考えたときに、炊飯および保温性能が低下しない程度まで電力が小さくなるような値にしてもよい。
【００３８】
つぎに、ステップ５４からステップ５５に進む。またステップ５３で電源電圧調整レベルが設計上許容される値に入っている場合もステップ５５に進む。ステップ５５では制御手段４９はその電源電流調整レベルが設計上許容される値に入っているかを判定する。
【００３９】
何らかの原因で不揮発性記憶手段４８の記憶データが破壊されていたり、消えていたりする場合があり、電源電流調整レベルが設計上許容される値から大きく違っている場合はステップ５６に進む。ステップ５６では電源電流調整レベルをあらかじめ決められている設計中心値であるデフォルト値に修正する。ここでデフォルト値を設計中心値にしたが、安全等を考えたときに、炊飯および保温性能が低下しない程度まで電力が小さくなるような値にしてもよい。
【００４０】
つぎに、ステップ５６からステップ５７に進む。またステップ５５で電源電流調整レベルが設計上許容される値に入っている場合もステップ５７に進む。ステップ５７では制御手段４９は不揮発性記憶手段４８からの調整値が正常値であれば、その調整値で、異常値であればステップ５４、ステップ５６で修正した値でインバータ制御回路４２を制御する。
【００４１】
以上のように、本実施の形態においては、制御手段４９は、不揮発性記憶手段４８に記憶した調整値を呼び出して、この値が正常な範囲であればその調整値を使用してインバータ制御回路４２を制御し、異常の場合はあらかじめ決められた値を使用してインバータ制御回路４２を制御するようにしたので、万一、炊飯器本体に組み込み後の電力検査にて所定の電力が出ていない場合でも、炊飯器本体に組み込んだ状態で容易に再度電力調整ができ、かつ記憶している調整値が消えても安全に使用できる。
【００４２】
（実施の形態３）
図５は、本発明の実施の形態３における炊飯器のブロック図を示すものであり、図６は、本発明の実施の形態３における炊飯器の動作を示すフローチャートを示すものである。
【００４３】
図５に示すように、加熱コイル６０は、米、水などの調理物を入れる鍋（図示せず）を誘導加熱するもので、インバータ回路６１より加熱コイル６０に高周波電流を供給する。インバータ回路６１はインバータ制御回路６２により制御するようにしている。電源電圧検知手段６３は入力される商用電源の電源電圧を検知するもので、電源電流検知手段６４は商用電源から供給される電源電流を検知するものであり、これら電源電圧検知手段６３、電源電流検知手段６４の検知レベルを電源電圧電流調整手段６５により各々調整するようにしている。
【００４４】
制御手段６９は、電源電圧検知手段６３と電源電流検知手段６４の出力を入力し、電源電圧と電源電流の値を電源電圧電流表示手段６６に信号を出力して表示するよう制御し、電源電圧電流調整手段６５で調整が完了したことを出力する調整完了信号出力手段６７の信号を入力したときに、電源電圧と電源電流の各々の調整値をバックアップ付き記憶手段６８に記憶し、バックアップ付き記憶手段６８に記憶した調整値を呼び出してインバータ制御回路６２を制御するように構成している。
【００４５】
上記構成において図６のフローチャートを参照しながら動作、作用を説明する。ここで、炊飯器を組み立てた状態で電力検査に合格したものは出荷され、不合格になったものについて以下の作業を行う。
【００４６】
ステップ７０でスタートし、まずステップ７１に進み、電力調整モードかどうかを判断する。電力調整モードに入れるのに特定の入力信号が制御手段６９に入力されれば電力調整モードとしてステップ７２に進む。ステップ７２では電源電圧検知手段６３により入力される商用電源の電源電圧を検知する。つぎに、ステップ７３に進み、制御手段６９は電源電圧検知手段６３の出力信号を入力し、入力した電圧レベルを設計標準で計算して換算した電圧値を電源電圧電流表示手段６６により表示する。
【００４７】
つぎに、ステップ７４に進む。ステップ７４では作業者は電源電圧電流表示手段６６で表示されている電圧値が実際に入力している電圧値と同じかどうかを判断する。同じでない場合はステップ７５に進む。ステップ７５では作業者は電源電圧電流表示手段６６の表示が実際に入力している電圧値となるように電源電圧電流調整手段６５にて制御手段６９で判定する電圧レベルを変えていく。
【００４８】
具体的には、実際入力されている電源電圧が１００Ｖの場合で、電源電圧電流表示手段６６が１００Ｖを超える高い値を表示しているときは、作業者は制御手段６９が判定する電圧レベルを高く設定するよう入力信号を与え、逆に、電源電圧電流表示手段６６が１００Ｖを下回る低い値を表示しているときは、作業者は制御手段６９が判定する電圧レベルを低く設定するよう入力信号を与えて実際入力されている１００Ｖの表示になるように調整する。
【００４９】
実際に入力されている電圧に調整されるとステップ７６に進む。ステップ７６では作業者が調整完了信号出力手段６７で制御手段６９に信号を与える。キー入力による信号など、ようは調整完了を制御手段６９に入力できればよい。調整完了信号出力手段６７の信号が入力されたときの電源電圧調整レベルを制御手段６９はバックアップ付き記憶手段６８に記憶する。
【００５０】
ここで、バックアップ付き記憶手段６８の利点はバックアップ電源があるので、制御手段６９としてワンチップのマイクロコンピュータを使用した場合、そのＲＡＭを使用することができ＜安価に実現できる。もちろん現行の炊飯器の大半が時計機能を持っており、バックアップ電源として炊飯器の製品寿命以上のバックアップ時間を可能にする一次電池を内蔵しているのを前提としている。この場合もコンセントが抜かれて停電になったとしても記憶は消えない。
【００５１】
つぎに、ステップ７７に進む。ステップ７７では電源電流検知手段６４により商用電源から供給される電源電流を検知する。つぎに、ステップ７８に進み、制御手段６９は電源電流検知手段６４の出力信号を入力し、入力した電流レベルを設計標準で計算して換算した電流値を電源電圧電流表示手段６６により表示する。
【００５２】
つぎに、ステップ７９に進む。ステップ７９では作業者は電源電圧電流表示手段６６で表示されている電流値が、実際に入力している電流値と同じかどうかを判断する。同じでない場合はステップ８０に進む。ステップ８０では作業者は電源電圧電流表示手段６６の表示が実際に入力している電流値となるように電源電圧電流調整手段６５にて制御手段６９で判定する電流レベルを変えていく。
【００５３】
具体的には、実際入力されている電源電流が１２Ａの場合で電源電圧電流表示手段６６が１２Ａを超える高い値を表示しているときは、作業者は制御手段６９が判定する電流レベルを高く設定するよう入力信号を与え、逆に、電源電圧電流表示手段６６が１２Ａを下回る低い値を表示しているときは、作業者は制御手段６９が判定する電流レベルを低く設定するよう入力信号を与えて実際入力されている１２Ａの表示になるように調整する。
【００５４】
実際に入力されている電流に調整されるとステップ８１に進む。ステップ８１では作業者が調整完了信号出力手段６７で制御手段６９に信号を与える。キー入力による信号など、ようは調整完了を制御手段６９に入力できればよい。調整完了信号出力手段６７の信号が入力されときの電源電流調整レベルを制御手段６９はバックアップ付き記憶手段６８に記憶する。
【００５５】
ここで、バックアップ付き記憶手段６８の利点はバックアップ電源があるので制御手段６９としてワンチップのマイクロコンピュータを使用した場合、そのＲＡＭを使用することができ、安価に実現できる。もちろん現行の炊飯器の大半が時計機能を持っておりバックアップ電源として炊飯器の製品寿命以上のバックアップ時間を可能にする一次電池を内蔵しているのを前提としている。この場合もコンセントが抜かれて停電になったとしても記憶は消えない。ここでステップ７１に戻る。
【００５６】
ステップ７１でモードが電力調整モードでない場合はステップ８２に進み、制御手段６９は通常の調理モードの動作を行う。つぎに、ステップ８３に進み、制御手段６９はバックアップ付き記憶手段６８からステップ７６および８１で記憶した電源電圧調整レベルと電源電流調整レベルを呼び出す。つぎに、ステップ８４に進む。ステップ８４ではステップ８３で呼び出した調整値に基づいてインバータ制御回路６２を制御する。これによって所定の電力にて炊飯、保温が可能になる。
【００５７】
以上の説明では、炊飯器を組み立てた状態で電力検査に合格したものは出荷され、不合格になったものについて調整作業を行うように説明したが、最初からこの調整作業によって電力調整して出荷してもよいことは言うまでもない。
【００５８】
以上のように、本実施の形態においては、電力調整モードにて電源電圧、電源電流の値を炊飯器本体に組み込み状態で調整し、調整した調整値をバックアップ付き記憶手段６８に記憶し、通常調理モードにおいて電力調整モードで記憶した調整値でインバータ制御回路６２を制御することで、万一、炊飯器本体に組み込み後の電力検査にて所定の電力が出ていない場合でも、炊飯器本体に組み込んだ状態で容易に再度電力調整をすることができる。また、バックアップ付き記憶手段６８を使用することで、安価に調整値を記憶することができる。
【００５９】
（実施の形態４）
図７は、本発明の実施の形態４における炊飯器のブロック図を示すものであり、図８は、本発明の実施の形態４における炊飯器の動作を示すフローチャートを示すものである。
【００６０】
図７に示すように、加熱コイル９０は、米、水などの調理物を入れる鍋（図示せず）を誘導加熱するもので、インバータ回路９１より加熱コイル９０に高周波電流を供給する。インバータ回路９１はインバータ制御回路９２により制御するようにしている。電源電圧検知手段９３は入力される商用電源の電源電圧を検知するもので、電源電流検知手段９４は商用電源から供給される電源電流を検知するものであり、これら電源電圧検知手段９３、電源電流検知手段９４の検知レベルを電源電圧電流調整手段９５により各々調整するようにしている。
【００６１】
制御手段９９は、電源電圧検知手段９３と電源電流検知手段９４の出力を入力し、電源電圧と電源電流の値を電源電圧電流表示手段９６に信号を出力して表示するよう制御し、電源電圧電流調整手段９５で調整が完了したことを出力する調整完了信号出力手段９７の信号を入力したときに、電源電圧と電源電流の各々の調整値をバックアップ付き記憶手段９８に記憶する。さらに制御手段９９はバックアップ付き記憶手段９８に記憶した調整値を呼びだして、この値が正常な範囲であればその調整値を使用してインバータ制御回路９２を制御し、異常の場合はあらかじめ決められた値を使用してインバータ制御回路９２を制御するように構成している。
【００６２】
上記構成において図８のフローチャートを参照しながら動作、作用を説明する。なお、図６に示す上記実施の形態３のフローチャートにおけるステップ７０からステップ８１までの動作は同じ動作をするので説明を省略する。
【００６３】
ステップ１００からスタートしてステップ１０１に進む。ステップ１０１では電力調整モードではなく通常の調理モードであることを判定する。つぎに、ステップ１０２に進み、制御手段９９はバックアップ付き記憶手段９８に記憶されている電源電圧調整レベルと電源電流調整レベルを呼び出す。つぎに、ステップ１０３に進み、制御手段９９はその電源電圧調整レベルが設計上許容される値に入っているかを判定する。
【００６４】
何らかの原因でバックアップ付き記憶手段９８の記憶データが破壊されていたり、消えていたりする場合があり、電源電圧調整レベルが設計上許容される値から大きく違っている場合はステップ１０４に進む。ステップ１０４では電源電圧調整レベルをあらかじめ決められている設計中心値であるデフォルト値に修正する。ここで、デフォルト値を設計中心値にしたが、安全等を考えたときに、炊飯および保温性能が低下しない程度まで電力が小さくなるような値にしてもよい。
【００６５】
つぎに、ステップ１０４からステップ１０５に進む。また、ステップ１０３で電源電圧調整レベルが設計上許容される値に入っている場合もステップ１０５に進む。ステップ１０５では制御手段９９はその電源電流調整レベルが設計上許容される値に入っているかを判定する。
【００６６】
何らかの原因でバックアップ付き記憶手段９８の記憶データが破壊されていたり、消えていたりする場合があり、電源電流調整レベルが設計上許容される値から大きく違っている場合はステップ１０６に進む。ステップ１０６では電源電流調整レベルをあらかじめ決められている設計中心値であるデフォルト値に修正する。ここで、デフォルト値を設計中心値にしたが、安全等を考えたときに、炊飯および保温性能が低下しない程度まで電力が小さくなるような値にしてもよい。
【００６７】
つぎに、ステップ１０６からステップ１０７に進む。また、ステップ１０５で電源電流調整レベルが設計上許容される値に入っている場合もステップ１０７に進む。ステップ１０７では制御手段９９はバックアップ付き記憶手段９８からの調整値が正常値であれば、その調整値で、異常値であればステップ１０４、ステップ１０６で修正した値でインバータ制御回路９２を制御する。
【００６８】
以上のように、本実施の形態においては、制御手段９９は、バックアップ付き記憶手段９８に記憶した調整値を呼び出して、この値が正常な範囲であればその調整値を使用してインバータ制御回路９２を制御し、異常の場合はあらかじめ決められた値を使用してインバータ制御回路９２を制御するようにしたので、万一、炊飯器本体に組み込み後の電力検査にて所定の電力が出ていない場合でも、炊飯器本体に組み込んだ状態で容易に再度電力調整ができ、かつ記憶している調整値が消えても安全に使用できる。また、バックアップ付き記憶手段９８を使用することで、安価に調整値を記憶することができる。
【産業上の利用可能性】
【００６９】
以上のように、本発明にかかる炊飯器は、炊飯器本体に組み込み後の電力検査にて所定の電力が出ていない場合でも、炊飯器本体に組み込んだ状態で容易に安全に再度電力調整をすることができるので、インバータ回路より加熱コイルに高周波電流を供給して鍋を誘導加熱する炊飯器として有用である。
【図面の簡単な説明】
【００７０】
【図１】本発明の実施の形態１における炊飯器のブロック図
【図２】同炊飯器の動作を示すフローチャート
【図３】本発明の実施の形態２における炊飯器のブロック図
【図４】同炊飯器の動作を示すフローチャート
【図５】本発明の実施の形態３における炊飯器のブロック図
【図６】同炊飯器の動作を示すフローチャート
【図７】本発明の実施の形態４における炊飯器のブロック図
【図８】同炊飯器の動作を示すフローチャート
【図９】従来の炊飯器のブロック図
【符号の説明】
【００７１】
１０  加熱コイル
１１  インバータ回路
１２  インバータ制御回路
１３  電源電圧検知手段
１４  電源電流検知手段
１５  電源電圧電流調整手段
１６  電源電圧電流表示手段
１７  調整完了信号出力手段
１８  不揮発性記憶手段
１９  制御手段
【図１】
2005130991.tif 000003
【図２】
2005130991.tif 000004
【図３】
2005130991.tif 000005
【図４】
2005130991.tif 000006
【図５】
2005130991.tif 000007
【図６】
2005130991.tif 000008
【図７】
2005130991.tif 000009
【図８】
2005130991.tif 000010
【図９】
2005130991.tif 000011